(57)【要約】【課題】  従来の空気調和機では、風向調整ベーンが取付けられたベース板の片側にＪ形フックが設けられて、吹出し口壁面の円筒状軸に回転可能に軸支される構造のため、この風向調整ベーンのベース板を軸を支点に回転しながら吹出し口より引き出すことにより、吹出口内部やファンに付着した埃や臭いの清掃ができるが、この風向調整ベーン及びベース板の開閉時にＪ形フックのためこのベース板が吹出し口から外れてしまうことがあった。【解決手段】  左右風向調整ベーンが取付けられたベース板に鍵形状の穴を設け、このベース板を収納する吹出口の壁面に先端が前記鍵形状の軸を設け、このベース板を回転して開閉動作する際、ベース板の鍵形状穴と軸先端の鍵形状が合致しない位置とした。【選択図】        図１
2006177609.tif 000002
【特許請求の範囲】
【請求項１】
空気調和機の吹出口に設けられて吹出し空気を左右方向に変更する風向調整板と、該風向調整板が取付けられたベース板と、前記吹出口に設けられ前記ベース板の一端側が回転自在に保持される軸とを備え、該軸の先端側を鍵形状とするとともに前記ベース板の軸挿入穴を前記鍵形状としたことを特徴とする空気調和機の風向調整装置。
【請求項２】
前記ベース板を吹出口から回動して引き出した状態において、前記軸の先端側の鍵形状と前記ベースの挿入穴の鍵形状とが重なり合わない位置にそれぞれ配置されるとともに前記軸と前記ベース板の挿入穴との間にクリアランスを有したことを特徴とする請求項１記載の空気調和機の風向調整装置。
【請求項３】
前記ベース板が吹出口の端側に軸支され、複数設けられたことを特徴とする請求項１または請求項２記載の空気調和機の風向調整装置。
【請求項４】
前記吹出口の左右端にそれぞれ軸支され独立したベース板を連結する連結装置を備え、該連結装置に前記風向調整板の突起と結合する溝を有したことを特徴とする請求項３記載の空気調和機の風向調整装置。
【請求項５】
前記連結装置は前記ベース板にスライド可能に取付けられ、連結された前記風向調整板を連動させることを特徴とする請求項４記載の空気調和機の風向調整装置。
【発明の詳細な説明】
【技術分野】
【０００１】
この発明は、空気調和機の吹出口に設けられ吹出し空気を左右または上下方向に変更する風向調整装置に関するものである。
【背景技術】
【０００２】
また、従来の空気調和機の風向調整装置では、風向変更ベーンが取付けられたベース板の端部に設けられた係止部をＪ形のフック形状として、本体吹出口の壁面に設けられた円筒軸部に引っ掛けることにより、風向変更ベーンを空気調和機の吹出口に固定するとともに、この軸を中心に風向変更ベーンが取付けられたベースを回転引き出すことができる構成であった。
【０００３】
また、従来の気化式加湿器において、本体に係止された合成樹脂製のハンドルを有し、本体には左右で角度差がついた鍵状穴を設け、ハンドルの左右両端には鍵状穴と同形状の突起を有する軸部を形成する構成を備え、ハンドルを本体に対し取外し自在に取付けるようにしたものがあった（例えば、特許文献１参照。）。
【０００４】
【特許文献１】特開２００４−８４８０２号公報（第３−４頁、第１図）
【発明の開示】
【発明が解決しようとする課題】
【０００５】
上述のような従来の空気調和機の風向調整装置における構成では、ユーザーが空気調和機に内蔵された送風用のファンを清掃する際、風向変更ベーンが取付けられたベースを吹出口から開閉することになるが、このベースのＪ形のフック形状は本体側に設けられた円筒軸部から外れてしまう可能性があった。
【０００６】
また、従来の気化式加湿器では、本体の左右側に取付けられるハンドルは、少なくとも片方はハンドル使用時の動作範囲外の角度で突起が挿入取付けられることによりユーザーの使用時にはハンドルが本体から外れないようにしてある。しかしながら、空気調和機の風向調整装置の場合は、風向変更ベーンが取付けられたベースと本体吹出口とは１つの軸で固定されているため、上述のように鍵状穴に角度差を設けることでは前記ベースが吹出口壁面から外れることを防止することはできない。
【０００７】
また、従来の空気調和機の風向調整装置では、吹出し空気の温度により温度変化が発生して各部品に伸縮が生じた際、その伸縮分がベースの収納部や連結部に影響を及ぼし、風向変更ベーンの動きにばらつきが生じてしまい所望する風向制御ができなくなるという課題があった。
【０００８】
この発明は、上記のような課題を解決するためになされたもので、空気調和機に内設されたファンや内部風路を清掃する際、吹出口の風向変更ベーンが取り付けられたベース板を回動して引き出し開閉する作業においては、このベース板が本体吹出口から外れることなく、また各部品が温度変化による伸縮を生じても、その伸縮分を吸収できる構成とすることで、前記ベースの連結機構側の位置には影響を及ぼさず、風向変更ベーンの連結ずれの少ない連動動作を可能とする空気調和機の風向調整装置を提供することを目的としている。
【課題を解決するための手段】
【０００９】
この発明に係る空気調和機の風向調整装置は、空気調和機の吹出口に設けられて吹出し空気を左右方向に変更する風向調整板と、該風向調整板が取付けられたベース板と、前記吹出口に設けられ前記ベース板の一端側が回転自在に保持される軸とを備え、該軸の先端側を鍵形状とするとともに前記ベース板の軸挿入穴を前記鍵形状としたものである。
【発明の効果】
【００１０】
この発明に係る空気調和機の風向調整装置は、空気調和機の吹出口に設けられて吹出し空気を左右方向に変更する風向調整板と、該風向調整板が取付けられたベース板と、前記吹出口に設けられ前記ベース板の一端側が回転自在に保持される軸とを備え、該軸の先端側を鍵形状とするとともに前記ベース板の軸挿入穴を前記鍵形状としたので、ユーザーが空気調和機に内蔵されたファンや内部風路を清掃する際に、風向調整板が取付けられたベース板を回動して吹出口から引き出す動作においてベース板が本体吹出口から外れることがなく、ベース板の吹出口からの開閉作業ができファン等の清掃を容易にすることが可能となる。
【発明を実施するための最良の形態】
【００１１】
実施の形態１．
以下、この発明の実施の形態１を図１〜８を用いて説明する。
図１はこの発明の空気調和機室内機の外観図、図２は空気調和機室内機の断面図、図３はこの発明の空気調和機の風向調整装置における風向変更ベーン付きベース板の回転開放状態図、図４は空気調和機の風向調整装置における風向変更ベーン付きベース板の収納状態図、図５は空気調和機の風向調整装置におけるベース板の鍵形状穴と軸の鍵形状との角度を説明する図である。また、図６は空気調和機の風向調整装置における風向変更ベーン付きベース板の位置決め構造の斜視図、図７は図６の要部拡大図、図８は空気調和機の風向調整装置における他の軸先端形状を示す図である。
【００１２】
図１および図２に示すように、モータにより駆動されるラインフローファン２が回転すると、空気調和機室内機本体１の前面および上面に設けた吸込グリル３から室内の空気を機内に吸い込み、この吸込グリル３のすぐ内側に設けられたフィルター４にて空気中の埃などが除去される。そしてフィルター４を通過した空気は、圧縮機や絞り装置を有した冷凍サイクルの構成部品である熱交換器５のフィンの間を通ることにより、空気と冷媒の間で熱交換されて冷却または暖められる。この空気調和機本体内に吸込まれた空気中に浮遊する埃や油ミストは前記フィルター４で取り除かれるが全てではなく、ここで除去できなかった浮遊物は熱交換器５やラインフローファン１の翼部分、本体のボックス６側で風路壁の表面部分、上下風向調整板７（以下、上下ベーンという）および左右風向調整板８（以下、左右ベーンという）の表面部分など通風流路の各箇所に付着することになる。熱交換器５を通過して冷却または暖められた空気は、空気調和機本体の前面下方に配設された吹出口より室内空間へ吹出される。
【００１３】
この吹出口に配置された上下ベーン７はモーターに連結され、モーターの駆動により上下に回動変位して、吹出口から吹出される風の方向を上下方向に振ることができる。また、この上下ベーン７はスライド可能な固定軸を有した着脱機構により空気調和機本体２の吹出口から完全に取り外すことができ、これによりユーザー自身による吹出口まわりまたは上下ベーンの清掃が容易となる。
【００１４】
この発明における左右ベーン機構部は、図３〜図６に示すように、上記左右ベーン８と、吹出口の左右両側にそれぞれ軸支され、それぞれに複数個の左右ベーン８が取り付けられたベース板９と、吹出口の長手方向に連続して取付けられる左右２つの独立したベース板９の間に配置され各ベース板の左右ベーン８群を連結動作するための左右連結装置１０と、前記ベース板９を固定保持する吹出口ケーシング１１などで構成される。そして、それぞれのベース板９に配置された複数の左右ベーン８は、各ベース板９毎に連結アーム１２で連結され同じ方向に連動動作をなす。
【００１５】
図５で示す吹出口ケーシング１１には先端側が鍵形状で、根元側が円筒形状の軸１４が設けられている。ここで示す鍵形状は、中央を円形としその両側に延出した矩形部を有した形である。また、複数の左右ベーン８が軸支されたベース板９の一端側には吹出口ケーシング１１に設けられたこの軸１４の鍵形状とほぼ同形状をなし前記軸１４の先端側が貫通できる鍵形状穴１５が設けられている。このベース板９を吹出口ケーシング１１に嵌め込む際、ベース板９の鍵形状穴１５の角度と吹出口ケーシングの鍵形状軸１４の角度を合致させて挿入するが、図５に示す鍵形状穴１５はベース板９に対してα角度だけずれた位置関係となっているので、ベース板９と吹出口ケーシング１１の鍵形状の角度を合致させた状態では、ベース板９の一部が角度α分だけ吹出口ケーシング１１に当接し、ベース板９が完全には吹出口ケーシング１１に嵌まり込まないような構造となっている。ここでベース板９には柔軟性を有し弾性変形できる素材を用いてあり、組立て時にはベース板９を少し湾曲させて、吹出口ケーシング１１と当たっている部分を乗り越えさせて軸１４を鍵形状穴１５に挿入して組み付けることにより、ベース板９を吹出口ケーシング１１に完全に嵌め込むことができる。この組立操作はベース板９に柔軟性があるため無理ばめではない。
【００１６】
ベース板９を吹出口ケーシング１１に完全に嵌め込むと、再びベース板９の鍵形状穴１５と吹出口ケーシング１１の軸１４の先端側鍵形状との角度を合致させようとしても、ベース板９の一部が吹出口ケーシング１１と当たり合致しないような構造となっている。
【００１７】
また、この空気調和機を製造する際には、まずベース板９を吹出口ケーシング１１に完全に嵌め込んだ後、左右ベーン８や連結アーム１２などをベース板９に設置する。それは、先にベース板９に左右ベーン９や連結アーム１２を取り付けるとベース板の柔軟性は阻害されベース板９を湾曲させることが困難となるからである。そのためベース板９が吹出口ケーシング１１に当たっている部分を、湾曲させて乗り越えさせることが困難となり、ユーザー使用時においてベース板９を軸１４を中心に回転引き出させて吹出口から開閉させても吹出口ケーシング１１から外れてしまうことを防止できる構造となっている。
【００１８】
ベース板９の吹出口ケーシング１１に対する取付け位置は、ベース板９に設けた溝部が吹出口ケーシング１１の突起部１６に嵌合することで決められる。なお、溝部と突起部、つまり凹部と凸部はこの逆でもよい。また、ベース板９の鍵形状穴１５と吹出口ケーシング１１の鍵形状軸１４には組み合わさったときにクリアランスができるように、鍵形状穴１５の中央部の円直径が対応する鍵形状軸１４の直径よりやや大きい寸法となっている。これにより、温度変化によって各部品に伸縮が生じても、それらの伸縮量ずれを吹出口ケーシング１１の軸部で吸収することができ、左右連結装置１０側には伸縮による影響を受けない構成となっており、温度変化による各部品の伸縮が生じても、ばらつきの少ない左右ベーン８の連結動作を可能としている。
【００１９】
左右のベース板９に設置された複数の左右ベーン８のうち、反軸側の１枚にはベース板側に延出した突起部が設けられ、左右のベース板を連結動作させる左右連結装置１０には前記左右ベーン８の突起部が結合する溝１３が設けられており、これらの突起部と溝が結合しながら左右連結装置１０は吹出し口の左右方向にスライド稼動することができる。また、図７に示すように、この左右連結装置１０が吹出口ケーシング１１に設けられたスライド溝内を左右にスライドすると、それぞれベース板９に軸支された左右ベーン８の端部に設けた突起も同様に左右にスライドし、左右に分かれて配置されたベース板９に取付けられた左右ベーン８は一斉に同一方向に回動変位することができる構成となっている。また、この左右連結装置１０はスライド動作に耐え得る材料（例えば、ＰＯＭ樹脂）を用いて形成されている。
【００２０】
また、図６に示すように、左右ベーン８が取付けられたベース板９を左右両側とも吹出口ケーシング１１に収納した状態では、上述の左右連結装置１０（図６中の点線にて表示）はベース板９がその上側に覆い被さることにより隠れて見えなくなり、風路表面の段差もなく空気流れがスムーズに流れるとともに、意匠上も良くなる。なお、空気調和機室内機が実際に据え付けられた状態では、図６の上下逆となって設置される。
【００２１】
このように左右ベーン８が左右連結装置１０によって一斉に同一方向に回動変位することにより、空気調和機室内機の吹出口から吹出される風の方向を左または右に大きく振ることができ、その空気調和機が設置された室内の形状やユーザーの座っている場所に対応した快適な空調環境を創り出すことができる。さらに、吹出口内部を清掃する場合には、図７に示すベース板９の吹出口前側に設けた取手部を指で摘み、左右ベーン８が取付けられたベース板９を吹出口から一端を中心に回転引き出して吹出口を開放状態とすることにより、清掃具や手を吹出口の内部へ挿入させて埃等を除去することができ、空気調和機を清潔に保つととにも運転効率の低下を防止して省エネ運転を維持することができる。
【００２２】
また、吹出口ケーシング１１に設けられた軸１４の先端側鍵形状は上述の形に限るものではなく、例えば、図８（ａ）のように中央部が円形でそこから両側に徐々に延出して略菱形を成す形状や、または図８（ｂ）のように円形の一側から延出して凸部を有した略茄子形の形状でも良く、同様の効果が得られる。
【図面の簡単な説明】
【００２３】
【図１】本発明の実施の形態１に係る空気調和機室内機の外観図である。
【図２】本発明の実施の形態１に係る空気調和機室内機の断面図である。
【図３】本発明の実施の形態１に係る左右ベーン付きベース板の回転開放状態図である。
【図４】本発明の実施の形態１に係る左右ベーン付きベース板の収納状態図である。
【図５】本発明の実施の形態１に係るベース板の鍵形状穴と軸の鍵形状との角度を説明する図である。
【図６】本発明の実施の形態１に係る左右ベーン付きベース板の位置決め構造の斜視図である。
【図７】本発明の図６の要部拡大図である。
【図８】本発明の実施の形態１に係る風向調整装置の他の軸先端形状を示す図である。
【符号の説明】
【００２４】
１  空気調和機本体、  ２  ラインフローファン、  ３  グリル、  ４  フィルター、  ５  熱交換器、  ６  本体ボックス、  ７  上下風向調整板、  ８  左右風向調整板、  ９  ベース、  １０  左右連結装置、  １１  ノズルケーシング、  １２  ベーン連結装置、  １３  溝、  １４  鍵形状軸  、  １５  鍵形状穴  、  １６  突起部。
【図１】
2006177609.tif 000003
【図２】
2006177609.tif 000004
【図３】
2006177609.tif 000005
【図４】
2006177609.tif 000006
【図５】
2006177609.tif 000007
【図６】
2006177609.tif 000008
【図７】
2006177609.tif 000009
【図８】
2006177609.tif 000010